(57)【特許請求の範囲】
【請求項１】
電力系統と連系運転する発電装置の発電電力を蓄える蓄電装置の制御装置であって、
前記発電装置の交流出力を制御する出力制御の情報を取得し、
前記出力制御の実施により前記発電装置から前記電力系統への逆潮流が抑制されることに伴って生じる余剰電力量を予測し、
前記出力制御が実施される出力制御期間において前記余剰電力量の少なくとも一部が前記蓄電装置に充電可能なように、前記電力系統からの電力を用いた前記蓄電装置の充電量を決定し、
前記電力系統からの電力を用いた前記蓄電装置の充電終了から前記出力制御開始までの時間帯における所定時刻に、前記出力制御が解除されたか否かの情報を取得し、
前記出力制御が解除された場合、前記電力系統からの電力を用いて前記蓄電装置の追加充電を行うことを特徴とする制御装置。
【請求項２】
電力系統と連系運転する発電装置の発電電力を蓄える蓄電装置の制御装置であって、
前記発電装置の交流出力を制御する出力制御の情報を取得し、
前記出力制御の実施により前記発電装置から前記電力系統への逆潮流が抑制されることに伴って生じる余剰電力量を予測し、
前記出力制御が実施される出力制御期間において前記余剰電力量の少なくとも一部が前記蓄電装置に充電可能なように、前記電力系統からの電力を用いた前記蓄電装置の充電量を決定し、
前記出力制御の情報に基づいて、前記出力制御が実施されるか否かを判定し、
前記出力制御が実施される場合、前記蓄電装置に設定された運転モードの種類を特定し、
前記蓄電装置に設定された前記運転モードが前記電力系統からの電力を用いた前記蓄電装置の充電を許可するものである場合、前記余剰電力量に基づいて前記蓄電装置の充電量を決定する出力制御モードへ前記蓄電装置を切り替えることを特徴とする制御装置。
【請求項３】
前記余剰電力量の予測は、前記出力制御期間における、前記発電装置の予測発電量、前記発電装置に接続される電気機器の予測消費電力量、および前記出力制御の情報に示される出力制御値により定められる前記発電装置が出力可能な出力制御電力量に基づいて行われることを特徴とする請求項１または２に記載の制御装置。
【請求項４】
前記予測発電量、前記予測消費電力量、および前記出力制御電力量の少なくとも一つを、外部サーバから取得することを特徴とする請求項３に記載の制御装置。
【請求項５】
前記蓄電装置の全容量から前記余剰電力量を差し引いた値を基準充電量と定義した場合、
前記基準充電量と、前記蓄電装置に蓄電されている充電残量とを比較し、
前記基準充電量が前記充電残量よりも大きい場合、前記基準充電量まで前記蓄電装置を充電し、
前記充電残量が前記基準充電量よりも大きい場合、前記蓄電装置の充電を行わないことを特徴とする請求項１から４までのいずれか一項に記載の請求項１に記載の制御装置。
【請求項６】
電力系統と連系運転する発電装置の発電電力を蓄える蓄電装置の制御方法であって、
前記発電装置の交流出力を制御する出力制御の情報を取得し、
前記出力制御の実施により前記発電装置から前記電力系統への逆潮流が抑制されることに伴って生じる余剰電力量を予測し、
前記出力制御が実施される出力制御期間において前記余剰電力量の少なくとも一部が前記蓄電装置に充電可能なように、前記電力系統からの電力を用いた前記蓄電装置の充電量を決定し、
前記電力系統からの電力を用いた前記蓄電装置の充電終了から前記出力制御開始までの時間帯における所定時刻に、前記出力制御が解除されたか否かの情報を取得し、
前記出力制御が解除された場合、前記電力系統からの電力を用いて前記蓄電装置の追加充電を行うことを特徴とする制御方法。
【請求項７】
電力系統と連系運転する発電装置の発電電力を蓄える蓄電装置の制御方法であって、
前記発電装置の交流出力を制御する出力制御の情報を取得し、
前記出力制御の実施により前記発電装置から前記電力系統への逆潮流が抑制されることに伴って生じる余剰電力量を予測し、
前記出力制御が実施される出力制御期間において前記余剰電力量の少なくとも一部が前記蓄電装置に充電可能なように、前記電力系統からの電力を用いた前記蓄電装置の充電量を決定し、
前記出力制御の情報に基づいて、前記出力制御が実施されるか否かを判定し、
前記出力制御が実施される場合、前記蓄電装置に設定された運転モードの種類を特定し、
前記蓄電装置に設定された前記運転モードが前記電力系統からの電力を用いた前記蓄電装置の充電を許可するものである場合、前記余剰電力量に基づいて前記蓄電装置の充電量を決定する出力制御モードへ前記蓄電装置を切り替えることを特徴とする制御方法。
【請求項８】
請求項６または７に記載の蓄電装置の制御方法をコンピュータに実行させるためのプログラム。
【発明の詳細な説明】
【技術分野】
【０００１】
本発明は、自然エネルギを利用した発電装置の発電電力を蓄える蓄電装置の制御装置、制御方法およびプログラムに関する。
【背景技術】
【０００２】
太陽光発電および風力発電などは、自然エネルギを利用することによって二酸化炭素の排出量を抑制できる発電方式として注目されている。また、その発電電力を電力事業者が買い取る制度が実施されたことにより、特に、太陽光発電の一般家庭および産業用施設への普及が進んでいる。
【０００３】
近年、電力系統に接続され、電力系統との間で送電(売電)および受電(買電)を行う系統連系型の太陽光発電装置の普及が進んでいる。系統連系型の太陽光発電装置では、太陽光発電の余剰電力を電力系統へ逆潮流させることにより電力会社に売電しているが、電力系統側の電圧が上昇して逆潮流を行うことが困難になった場合、電圧上昇抑制が行われることがある。
【０００４】
特許文献１には、系統連系型の太陽光発電装置の電圧上昇抑制時に、電力系統への逆潮流を停止して、発電電力を蓄電装置に充電する技術が提案されている。
【０００５】
ところで、太陽光を利用した発電は天候に依存するため、その発電量が需要に一致するとは限らない。例えば、強い日射が長く続く季節では、太陽光発電による発電電力が、複数の太陽光発電装置から電力系統へ一斉に逆潮流されることが起こり得る。そうなると、電力系統が不安定になることが懸念されている。
【０００６】
そこで、電力事業者は、電力系統が不安定になることを回避できるように、複数の太陽光発電装置のそれぞれについて、パワーコンディショナが生成する交流電力の出力（交流出力）の上限値を、日時とともに指定する出力制御の実施を予定している。その出力制御の結果として、太陽光発電装置から電力系統へ逆潮流できる電力が制限される。なお、パワーコンディショナの交流出力の上限値を、日時とともに指定する情報を、出力制御スケジュールと呼んでいる。出力制御スケジュールは、太陽光発電装置ごとの予測発電量と、電力需要予測とに基づいて作成され、電力事業者が管理するサーバ（スケジュールサーバ）から通信網を介して太陽光発電装置に配信されるなどして、各太陽光発電装置に供給される。
【先行技術文献】
【特許文献】
【０００７】
【特許文献１】特開２０１３−１７２４９５号公報（２０１３年９月２日公開）
【発明の概要】
【発明が解決しようとする課題】
【０００８】
上述のとおり、出力制御は電力事業者から供給される出力制御スケジュールに従ってパワーコンディショナの交流出力を抑制する新たな制度であり、出力抑制に関する特許文献１の技術をそのまま適用することはできない。
【０００９】
また、特許文献１の技術では、系統電圧の上昇に応じて発電装置の発電電力を蓄電装置に充電するが、蓄電装置が満充電の場合には発電装置の発電電力を蓄電装置に充電するこができず、電力の無駄が生じるという課題がある。
【００１０】
本発明は、前記の問題点に鑑みてなされたものであり、その目的は、出力制御期間における発電装置の発電電力を、蓄電装置に効率的に充電することが可能な蓄電装置の制御装置、制御方法およびプログラムを実現することにある。
【課題を解決するための手段】
【００１１】
上記の課題を解決するために、本発明の一態様に係る制御装置は、電力系統と連系運転する発電装置の発電電力を蓄える蓄電装置の制御装置であって、前記発電装置の交流出力を制御する出力制御の情報を取得し、前記出力制御の実施により前記発電装置から前記電力系統への逆潮流が抑制されることに伴って生じる余剰電力量を予測し、前記出力制御が実施される出力制御期間において前記余剰電力量の少なくとも一部が前記蓄電装置に充電可能なように、前記電力系統からの電力を用いた前記蓄電装置の充電量を決定することを特徴としている。
【００１２】
上記の課題を解決するために、本発明の一態様に係る制御方法は、電力系統と連系運転する発電装置の電力を蓄える蓄電装置の制御方法であって、前記発電装置の交流出力を制御する出力制御の情報を取得し、前記出力制御の実施により前記発電装置から前記電力系統への逆潮流が抑制されることに伴って生じる余剰電力量を予測し、前記出力制御が実施される出力制御期間において前記余剰電力量の少なくとも一部が前記蓄電装置に充電可能なように、前記電力系統からの電力を用いた前記蓄電装置の充電量を決定することを特徴としている。
【発明の効果】
【００１３】
本発明の一態様によれば、出力制御期間における発電装置の発電電力を、蓄電装置に効率的に充電することが可能な蓄電装置の制御装置、制御方法およびプログラムを提供することができるという効果を奏する。
【図面の簡単な説明】
【００１４】
【図１】本発明の一実施形態における太陽光発電システムの全体的な構成を示すブロック図である。
【図２】（ａ）は、出力制御情報に含まれる出力制御スケジュールの一例を示す説明図であり、（ｂ）は、（ａ）に示される出力制御スケジュールに対応した出力制御パターンを示す説明図である。
【図３】図１に示される、ＨＥＭＳサーバ、電力モニタ、およびＨＥＭＳコントローラの要部構成を示すブロック図である。
【図４】図１に示される太陽光発電システムにおける、蓄電装置の制御処理の一例を説明するための制御フローである。
【図５】図３に示される出力制御モード移行判定部による運転モード判定処理を説明するための説明図である。
【図６】図３に示される充電量決定部による充電量の決定処理の一例を説明するための説明図である。
【図７】図１に示される太陽光発電システムにおけるユーザへの通知処理の一例を説明するための制御フローである。
【図８】携帯端末に表示される、出力制御開始時のメッセージの一例を示す説明図である。
【図９】携帯端末に表示される、出力制御終了後のメッセージの一例を示す説明図である。
【発明を実施するための形態】
【００１５】
〔実施形態１〕
以下、本発明の実施の形態について、詳細に説明する。
【００１６】
（太陽光発電システムの構成の概要）
まず、図１を参照して、本発明の一実施形態における太陽光発電システムの構成について説明する。
【００１７】
図１は、本発明の一実施形態における太陽光発電システムの全体的な構成を示すブロック図である。図１に示すように、太陽光発電システム１は、太陽光発電装置（発電装置）１０、ＨＥＭＳサーバ（外部サーバ）２０、スケジュールサーバ３０、インターネット４０、およびルータ５０から構成されている。
【００１８】
太陽光発電装置１０は、電力系統７０に接続され、電力系統７０との間で送電(売電)および受電(買電)を行う系統連系型の太陽光発電装置である。
【００１９】
太陽光発電装置１０は、一例として、電力モニタ１１、ＨＥＭＳコントローラ（制御装置）１２、パワーコンディショナ１３、ソーラパネル１４、および蓄電装置１５を備えている。なお、本実施形態では、太陽光発電装置１０は、一般家庭用に設置されているものとする。
【００２０】
電力モニタ１１は、太陽光発電装置１０の動作を統括的に制御するコントローラの機能と、ユーザインタフェースの機能とを有している。
【００２１】
電力モニタ１１は、コントローラの機能として、スケジュールサーバ３０から受信した出力制御情報に含まれる出力制御スケジュールに基づいて、パワーコンディショナ１３が生成する交流電力の出力（交流出力）を制御する機能を含んでいる。また、電力モニタ１１は、ＨＥＭＳコントローラ１２が決定した蓄電装置１５の充電量に基づいて、パワーコンディショナ１３の充電量を制御する機能を含んでいる。
【００２２】
電力モニタ１１は、ユーザインタフェースの機能として、例えば、発電電力、売電量、買電量、消費電力、売電単価および買電単価などの現在状態を表示したり、消費電力の目標値をユーザが設定したり、消費電力の目標値に対する使用状況、あるいは、太陽光発電装置１０に発生した異常をユーザに知らせたりする機能などを含んでいる。
【００２３】
ＨＥＭＳ（Home Energy Management System）コントローラ１２は、家庭で使うエネルギを節約するための管理を行う。ＨＥＭＳコントローラ１２は、家庭負荷６０の電力消費量を電力モニタ１１などに表示したり、家庭負荷６０の自動制御などを行う。また、本実施形態では、ＨＥＭＳコントローラ１２は、後述するように、出力制御期間における太陽光発電装置１０（ソーラパネル１４）の発電電力を蓄電装置１５に充電可能な空き容量が確保されるように、蓄電装置１５の充電量を決定する。
【００２４】
パワーコンディショナ１３は、ソーラパネル１４が発電した直流電力を交流電力に変換する。本実施形態では、パワーコンディショナ１３は、ハイブリッド型のパワーコンディショナである。このため、パワーコンディショナ１３は、ソーラパネル１４が発電した直流電力を交流電力に変換して家庭負荷（電気機器）６０に供給するとともに、ソーラパネル１４が発電した直流電力を蓄電装置１５に供給して蓄電装置１５に充電する。
【００２５】
また、パワーコンディショナ１３は、ソーラパネル１４の発電電力から家庭負荷６０および蓄電装置１５などに供給する負荷電力を差し引いて残る余剰電力を、電力系統７０に逆潮流させて売電する。
【００２６】
なお、太陽光発電装置１０のユーザが、専用の携帯端末または汎用の携帯端末８０（図８参照）を用いて、電力モニタ１１の上記ユーザインタフェースの機能などを利用できるように、後述のルータ５０を介して携帯端末８０を太陽光発電システム１に無線接続することもできる。
【００２７】
ＨＥＭＳサーバ２０は、太陽光発電装置１０の保守管理者が保有または管理するサーバである。ＨＥＭＳサーバ２０は、家庭で使うエネルギを節約するための管理サーバであり、太陽光発電装置１０のＨＥＭＳコントローラ１２に接続される家電（家庭負荷６０）や電気設備（太陽光発電装置１０）などエネルギ管理を行う。
【００２８】
例えば、ＨＥＭＳサーバ２０は、太陽光発電装置１０を含む多数の太陽光発電装置の発電状態に関するデータを、インターネット４０およびルータ５０を介して、各太陽光発電装置から一定時間ごとに受信し、各太陽光発電装置の状態を診断し、診断結果を各太陽光発電装置へ送信する。
【００２９】
また、ＨＥＭＳサーバ２０は、ＨＥＭＳコントローラ１２から、発電電力、売電量、買電量および消費電力などの現在状態に関するデータ、消費電力の目標値などに関するデータを受信して、各太陽光発電装置に割り当てた識別情報（発電所ＩＤ）ごとに履歴情報として蓄積することもできる。
【００３０】
さらに、ＨＥＭＳサーバ２０は、気象情報および履歴情報などに基づいて、太陽光発電装置１０の予測発電量および家庭負荷６０の予測消費電力量を予測し、ＨＥＭＳコントローラ１２へ送信する。
【００３１】
スケジュールサーバ３０は、電力系統７０に電力を供給する電力事業者、または出力制御スケジュールを含む出力制御情報の配信事業者が保有または管理するサーバである。出力制御スケジュールは、太陽光発電装置１０の出力、すなわちパワーコンディショナ１３から電力系統７０へ出力される交流出力の上限を、特定の日の特定の時間帯について、例えばパーセントで規定した情報である。
【００３２】
出力制御情報は、インターネット４０およびルータ５０を介して、太陽光発電装置１０に配信される。なお、電力モニタ１１が、発電所ＩＤを使って、スケジュールサーバ３０に対し、出力制御スケジュールを取りに行くことも可能である。発電所ＩＤとは、太陽光発電装置１０を含む多数の太陽光発電装置を識別できるように、各太陽光発電装置に割り振られた識別情報である。出力制御スケジュールの具体例については後述する。
【００３３】
（出力制御スケジュール）
図２の（ａ）は、出力制御情報に含まれる出力制御スケジュールの一例を示す説明図であり、図２の（ｂ）は、図２の（ａ）に示される出力制御スケジュールに対応した出力制御パターンを示す説明図である。
【００３４】
図２の（ａ）および（ｂ）に示すように、出力制御スケジュールには、出力制御の実施日ごとの時刻（時）および出力制御値（％）が含まれている。例えば、図中の出力制御スケジュールでは、○年○月○日の０時〜９時の時間帯において、パワーコンディショナ１３の出力制御値が１００％に指定されている。このため、太陽光発電装置１０は、同日の０時〜９時の時間帯において、パワーコンディショナ１３の出力制御を行わない。
【００３５】
また、上記出力制御スケジュールでは、同日の９時〜１１時の時間帯において、パワーコンディショナ１３の出力制御値が４０％に指定されている。このため、太陽光発電装置１０は、同日の９時〜１１時の時間帯において、パワーコンディショナ１３の出力の上限を定格容量の４０％とする制御を実行する。ただし、自家消費電力が出力制御（出力制御値：４０％）時のパワーコンディショナ１３の交流出力を上回る場合、自家消費電力までパワーコンディショナ１３の交流出力を上げることは許容される。
【００３６】
また、上記出力制御スケジュールでは、同日の１１時〜１３時の時間帯において、パワーコンディショナ１３の出力制御値が０％に指定されている。ただし、自家消費電力までパワーコンディショナ１３の出力を上げることは許容される。このため、太陽光発電装置１０は、同日の１１時〜１３時の時間帯において、売電を行わず、発電電力を自家消費する制御を実行する。
【００３７】
また、上記出力制御スケジュールでは、同日の１３時〜１５時の時間帯において、パワーコンディショナ１３の出力制御値が定格容量の４０％に指定されている。このため、太陽光発電装置１０は、同日の１３時〜１５時の時間帯において、パワーコンディショナ１３の出力の上限を定格容量の４０％とする制御を実行する。ただし、自家消費電力が出力制御（出力制御値：４０％）時のパワーコンディショナ１３の交流出力を上回る場合、自家消費電力までパワーコンディショナ１３の出力を上げることは許容される。
【００３８】
また、上記出力制御スケジュールでは、同日の１５時〜２４時の時間帯において、パワーコンディショナ１３の出力制御値が１００％に指定されている。このため、太陽光発電装置１０は、同日の０時〜９時の時間帯において、パワーコンディショナ１３の出力制御を行わない。
【００３９】
この出力制御スケジュールは、例えば３０分単位で時刻を設定し、１％単位で出力制御値を設定することが可能であり、各太陽光発電装置に応じて異なる多様な出力制御を設定することができる。なお、出力制御情報には、出力制御スケジュールのほか、例えば、発電所ＩＤなどが含まれる。
【００４０】
また、出力制御スケジュールには、例えば４００日を１サイクルとする長期的な出力制御スケジュールである固定スケジュールと、出力制御を実施する前日または当日の朝に、スケジュールサーバ３０から太陽光発電装置１０へ配信される更新スケジュールとがある。
【００４１】
更新スケジュールでは、天候の急変に応じて、通知済みの固定スケジュールをキャンセルまたは更新することが可能であり、固定スケジュールに比べて出力制限値が緩くなると考えられる。このため、更新スケジュールに従う出力制御の方が、ユーザ側に経済的メリットがある。
【００４２】
（出力制御に関わる設定情報の概要）
太陽光発電装置（パワーコンディショナ）の交流出力を制限する出力制御は、太陽光発電装置ごとに実施される。このため、太陽光発電装置１０の交流出力の上限値は、太陽光発電装置１０の最大発電電力、上記出力制御スケジュールにおいて提示される出力制御値（％）などに基づいて、太陽光発電装置１０にて算出される。
【００４３】
太陽光発電装置１０にて上記上限値が算出されるようにするためには、出力制御に関わる設定情報として、各種の情報を太陽光発電装置１０が保有している必要がある。このような設定情報は、ＨＥＭＳサーバ２０において太陽光発電装置１０に対応づけて作成され、インターネット４０を介して、ＨＥＭＳサーバ２０から太陽光発電装置１０へ送信され、太陽光発電装置１０で記憶させてもよい。
【００４４】
〔実施形態２〕
（太陽光発電装置の具体的な構成）
次に、図３を参照して、太陽光発電システム１の構成をより具体的に説明する。図３は、太陽光発電システム１において、ＨＥＭＳサーバ２０、電力モニタ１１、およびＨＥＭＳコントローラ１２の要部構成を示すブロック図である。
【００４５】
（ＨＥＭＳサーバの構成）
ＨＥＭＳサーバ２０は、メモリ２１、コントローラ２２およびＨＥＭＳコントローラ通信部２３を備えている。コントローラ２２は、予測値計算部２２１、およびメッセージ生成部２２２を含んでいる。
【００４６】
予測値計算部２２１は、出力制御期間における、太陽光発電装置１０（ソーラパネル１４）の発電量の予測値である予測発電量、および太陽光発電装置１０に接続される家庭負荷６０の予測消費電力量を計算する。
【００４７】
予測値計算部２２１は、出力制御が実施される日（出力制御対象日）の気象情報、メモリ２１に記憶された太陽光発電装置１０（ソーラパネル１４）の過去の発電量の履歴情報、またはこれらの情報の組み合わせなどに基づいて、太陽光発電装置１０の予測発電量を計算する。
【００４８】
気象情報に基づいて発電量を予測する場合、予測値計算部２２１は、出力制御が実施される日の気象情報（気象予報）に示される天候、降水確率および予想気温などの気象データに基づいて、太陽光発電装置１０の予測発電量を求める。例えば、予測値計算部２２１は、気象情報に示される９〜１２時：晴れ、１２〜１５時：曇り、１５〜１８時：晴れのような単位時間ごとの天候と、各天候に対応付けられた太陽光発電装置１０の発電量（例えば、晴れの場合：３ｋＷｈ、曇りの場合：２ｋＷｈ、雨の場合：０．５ｋＷｈ）から、太陽光発電装置１０の予測発電量を求める。
【００４９】
また、太陽光発電装置１０の過去の発電量の履歴情報に基づいて発電量を予測する場合、予測値計算部２２１は、前年同月の総発電量の合計値が大きい日を上位５〜１０日分を選定し、選定した各日における単位時間毎（例えば、１時間ごと、３０分毎）の平均発電量を算出して、出力制御期間における太陽光発電装置１０の予測発電量を求める。または、予測値計算部２２１は、選定した各日における単位時間毎の発電量の中間値を算出して、出力制御期間における太陽光発電装置１０の予測発電量を求める。
【００５０】
なお、太陽光発電装置１０の過去の発電量の履歴情報がない場合、太陽光発電装置１０が設置される地域の都道府県別の標準発電パターン（／ｋＷ）にソーラパネル１４のＰＶ容量をかけることにより得られる単位時間毎の電力量に基づいて、出力制御期間における太陽光発電装置１０の予測発電量を求めてもよい。
【００５１】
また、予測値計算部２２１は、出力制御が実施される日（出力制御対象日）の気象情報、メモリ２１に記憶された家庭負荷６０の過去の消費電力量の履歴情報、またはこれらの情報の組み合わせなどに基づいて、家庭負荷６０の予測消費電力量を計算する。
【００５２】
気象情報に基づいて消費電力量を予測する場合、予測値計算部２２１は、出力制御が実施される日の気象情報（気象予報）に示される天候、降水確率および予想気温などの気象データに基づいて、太陽光発電装置１０の予測消費電力量を求める。例えば、予測値計算部２２１は、出力制御が実施される日と気温が近い直近１ヶ月内の日を選定し、選定した日の平均消費電力量などに基づいて、出力制御期間における予測消費電力量を求める。または、予測値計算部２２１は、出力制御が実施される日と気温が近い直近１ヶ月内の日であって、かつ出力制御が実施される日と同じ曜日の平均消費電力量などに基づいて、出力制御期間における予測消費電力量を求めてもよい。
【００５３】
また、家庭負荷６０の過去の消費電力量の履歴情報に基づいて予測消費電力量を計算する場合、予測値計算部２２１は、出力制御が実施される日の前日における単位時間毎の消費電力量に基づいて、出力制御期間における予測消費電力量を求める。または、予測値計算部２２１は、出力制御が実施される日の前週の同じ曜日の消費電力量、直近１ヶ月内の同じ曜日の平均消費電力量などに基づいて、出力制御期間における予測消費電力量を求めてもよい。
【００５４】
予測値計算部２２１は、上述のようにして計算した太陽光発電装置１０の予測発電量、および家庭負荷６０の予測消費電力量を、ＨＥＭＳコントローラ通信部２３を介してＨＥＭＳコントローラ１２へ送信する。
【００５５】
メッセージ生成部２２２は、太陽光発電装置１０の動作情報および充電状態などに関するメッセージを生成する。メッセージ生成部２２２は、生成したメッセージを、インターネット４０を介して携帯端末８０へ配信する。
【００５６】
（電力モニタの構成）
電力モニタ１１は、スケジュールサーバ通信部１１１、コントローラ１１２、メモリ１１３、ＨＥＭＳコントローラ通信部１１４、ＧＵＩ（Graphical User Interface）１１５、およびＰＣＳ通信部１１６を備えている。
【００５７】
スケジュールサーバ通信部１１１は、スケジュールサーバ３０と通信し、出力制御情報を受信する。スケジュールサーバ通信部１１１が受信した出力制御情報は、コントローラ１１２に伝えられるとともに、メモリ１１３に記憶される。また、スケジュールサーバ通信部１１１は、スケジュールサーバ３０にアクセスし、最新の出力制御スケジュール（更新スケジュール）を受信する。
【００５８】
コントローラ１１２は、電力モニタ１１の各部、および太陽光発電装置１０の動作を統括的に制御する。コントローラ１１２は、出力制御電力計算部１１７、運転モード設定部１１８、およびＰＣＳ制御部１１９を備えている。
【００５９】
出力制御電力計算部１１７は、出力制御スケジュールに示される出力制御値（％）を用いて、出力制御期間においてパワーコンディショナ１３から出力可能な電力の上限値である出力制御電力（Ｗ）を求める。
【００６０】
例えば、パワーコンディショナ１３の定格容量αが５ｋＷ、ソーラパネル１４の容量βを４ｋＷとし、取得した出力制御スケジュールにおいて、図２の（ａ）に示すように、９時〜１１時の時間帯について出力を４０％に抑えることになっているとする。この場合、出力制御電力を決める計算には、上記αおよびβの小さい方の値に出力制御値を乗算する。
【００６１】
この結果、出力制御スケジュールに基づいて、パワーコンディショナ１３が、９時〜１１時の時間帯に出力できる出力制御電力は、４ｋＷ×４０％＝１．６ｋＷと求められる。
【００６２】
出力制御電力計算部１１７は、上述のようにして求めた出力制御電力を、ＨＥＭＳコントローラ通信部１１４を介してＨＥＭＳコントローラ１２に伝えるとともに、ＰＣＳ制御部１１９およびＰＣＳ通信部１１６を介してパワーコンディショナ１３に伝える。
【００６３】
運転モード設定部１１８は、蓄電装置１５の各種運転モードを設定する。蓄電装置１５は、昼時間帯の発電電力を売電して、夜間時間帯（概ね、２３時〜翌７時）の割安な電力を蓄電装置１５に充電する経済性モード、昼時間帯の発電電力を蓄電装置１５に充電しておき、発電量が少ない時間帯などに放電するクリーンモード、蓄電装置１５の充電を優先的に行い、買電による蓄電装置１５の充電を抑える充電モード、出力制御期間における発電電力を蓄電装置１５に充電可能なように、夜間時間帯の蓄電装置１５の充電量を抑える出力制御モードなどの各種の運転モードを有している。
【００６４】
運転モード設定部１１８は、ＧＵＩ１１５が受け付けたユーザからの運転モードの切替指示に基づいて、蓄電装置１５の運転モードを切り替える。また、運転モード設定部１１８は、ＨＥＭＳコントローラ１２からの運転モードの切替指示に基づいて、蓄電装置１５の運転モードを出力制御モードに切り替える。
【００６５】
ＧＵＩ（Graphical User Interface）１１５は、太陽光発電装置１０の動作情報や出力制御スケジュールなどの各種情報を表示する。また、ＧＵＩ１１５は、蓄電装置１５の運転モードの選択など、太陽光発電装置１０に関するユーザからの指示を受け付ける。ＧＵＩ１１５は、ユーザからの指示を受け付けた場合、当該指示の内容をコントローラ１１２に伝える。
【００６６】
ＰＣＳ制御部１１９は、パワーコンディショナ１３の動作を統括的に制御する。ＰＣＳ制御部１１９は、パワーコンディショナ１３を介して蓄電装置１５の充電を制御する。
【００６７】
（ＨＥＭＳコントローラの構成）
ＨＥＭＳコントローラ１２は、ＨＥＭＳサーバ通信部１２１、コントローラ１２２、メモリ１２３、および電力モニタ通信部１２４を備えている。
【００６８】
コントローラ１２２は、ＨＥＭＳコントローラ１２の各部の動作を統括的に制御する。また、コントローラ１２２は、蓄電装置１５の運転モードが出力制御モードに設定された場合、夜間時間帯における蓄電装置１５の充電量を計算し、計算した充電量を電力モニタ１１に伝える。
【００６９】
コントローラ１２２は、出力制御判定部１２５、出力制御モード移行判定部１２６、および充電量決定部１２７を含んでいる。
【００７０】
出力制御判定部１２５は、翌日に出力制御が行われるか否か、すなわち、翌日が出力制御対象日であるか否かを判定する。例えば、出力制御判定部１２５は、スケジュールサーバ３０から配信される出力制御情報（出力制御スケジュール）を、電力モニタ１１を介して取得し、取得した出力制御情報（出力制御スケジュール）に基づいて、翌日に出力制御が行われるか否かを判定する。出力制御判定部１２５は、翌日に出力制御が行われる場合、その判定結果を出力制御モード移行判定部１２６に伝える。
【００７１】
出力制御モード移行判定部１２６は、出力制御モードに移行可能な運転モードに蓄電装置１５が設定されているか否かを判定する。例えば、出力制御モード移行判定部１２６は、翌日に出力制御が行われる場合、その時点において蓄電装置１５に設定されている運転モードの情報を、電力モニタ通信部１２４を介して電力モニタ１１から取得し、蓄電装置１５の運転モードが出力制御モードに移行可能な運転モードか否かを判定する。
【００７２】
例えば、出力制御モード移行判定部１２６は、まず、気象警報および停電予報などに連携して自動的に蓄電装置１５を充電する気象警報／停電予報連携制御が蓄電装置１５に対して行われている否かを判定する。蓄電装置１５に対して気象警報／停電予報連携制御が行われていない場合、出力制御モード移行判定部１２６は、蓄電装置１５に設定されている運転モードが出力制御モードに移行可能な運転モードが否かを判定する。出力制御モード移行判定部１２６は、出力制御モードに移行可能な運転モードか否かの判定結果を充電量決定部１２７に伝える。
【００７３】
充電量決定部１２７は、0出力制御期間における発電電力を蓄電装置１５に充電可能なように、夜間時間帯における蓄電装置１５の充電量を決定する。例えば、充電量決定部１２７は、蓄電装置１５に設定されている運転モードが出力制御モードに移行可能な運転モードである場合、出力制御期間における発電電力を蓄電装置１５に充電可能な空き容量が確保されるように蓄電装置１５の充電量を決定する。
【００７４】
具体的には、充電量決定部１２７は、出力制御期間における、太陽光発電装置１０の予測発電量、家庭負荷６０の予測消費電力量、および出力制御スケジュールに示される出力制御値により定められる太陽光発電装置１０が出力可能な出力制御電力量に基づいて、蓄電装置１５の充電量を決定する。
【００７５】
充電量決定部１２７は、決定した蓄電装置１５の充電量を、電力モニタ通信部１２４を介して電力モニタ１１のＰＣＳ制御部１１９に伝える。なお、充電量決定部１２７による蓄電装置１５の充電量を決定する処理の詳細は後述する。
【００７６】
（蓄電装置の制御処理）
次に、図３を参照して、太陽光発電システム１における蓄電装置１５の制御処理を説明する。図４は、太陽光発電システム１における蓄電装置１５の制御処理の一例を説明するための制御フローである。
【００７７】
図４に示すように、蓄電装置１５の制御処理では、夜間時間帯開始前（例えば、２３時前）の所定の時刻に、出力制御判定部１２５が電力モニタ１１から出力制御情報（出力制御スケジュール）を取得する（Ｓ１）。
【００７８】
次に、出力制御判定部１２５は、電力モニタ１１から取得した出力制御情報に基づいて、翌日に出力制御が行われるか否か判定する（Ｓ２）。
【００７９】
翌日に出力制御が行われない場合（Ｓ２でＮＯ）、蓄電装置１５を出力制御モードへ移行させる必要性がないため、出力制御判定部１２５は処理を終了する。一方、翌日に出力制御が行われる場合（Ｓ２でＹＥＳ）、出力制御判定部１２５は、その判定結果を出力制御モード移行判定部１２６に伝える。
【００８０】
次に、出力制御モード移行判定部１２６は、翌日に出力制御が行われる場合、出力制御モードに移行可能な運転モードに蓄電装置１５が設定されているか否かを判定する（Ｓ３）。
【００８１】
具体的には、出力制御モード移行判定部１２６は、蓄電装置１５に設定されている運転モードの情報を、電力モニタ通信部１２４を介して運転モード設定部１１８から取得する。そして、蓄電装置１５に設定されている運転モードが出力制御モードに移行可能な運転モードか否かを判定する。
【００８２】
図５は、出力制御モード移行判定部１２６による運転モード判定処理を説明するための説明図である。図５に示すように、蓄電装置１５は、「経済性モード（自動）」、「経済性モード（時刻指定）」、「クリーンモード（夜間充電なし）」、「クリーンモード（夜間充電あり）」、「充電モード」、「ＥＣＨＯＮＥＴ Ｌｉｔｅ 機器専用モード」、「（自動制御）経済性促進モード」、および「（自動制御）自産自消モード」などの各種の運転モードを有している。
【００８３】
出力制御モード移行判定部１２６は、例えば、蓄電装置１５に設定されている運転モードが夜間時間帯の充電を行う（許可する）ものであるか否かに基づいて、出力制御モードに移行可能か否かを判定する。図５に示す各種の運転モードでは、「経済性モード（自動）」、「経済性モード（時刻指定）」、「クリーンモード（夜間充電あり）」、「ＥＣＨＯＮＥＴ Ｌｉｔｅ 機器専用モード」、および「（自動制御）経済性促進モード」が夜間時間帯の充電を行う充電モードである。
【００８４】
このため、上記の運転モードに蓄電装置１５が設定されていない場合（Ｓ３でＮＯ）、出力制御モード移行判定部１２６は、出力制御モードに移行不可であると判定し、処理を終了する。一方、上記の運転モードに蓄電装置１５が設定されている場合（Ｓ３でＹＥＳ）、出力制御モード移行判定部１２６は、出力制御モードに移行可能である判定し、蓄電装置１５に設定されている運転モードをメモリ１２３に記憶するとともに（Ｓ４）、その判定結果を充電量決定部１２７に伝える。
【００８５】
次に、充電量決定部１２７は、出力制御モードに移行可能である場合、出力制御期間における太陽光発電装置１０の予測発電量および家庭負荷６０の予測消費電力量を、ＨＥＭＳサーバ通信部１２１を介してＨＥＭＳサーバ２０から取得する（Ｓ７）。
【００８６】
そして、充電量決定部１２７は、ＨＥＭＳサーバ２０から取得した太陽光発電装置１０の予測発電量および家庭負荷６０の予測消費電力量と、出力制御電力計算部１１７から取得した太陽光発電装置１０の出力制御電力の単位時間毎の出力制御電力量とに基づいて、蓄電装置１５の充電量を決定する。
【００８７】
図６は、充電量決定部１２７による充電量の決定処理の一例を説明するための説明図である。まず、充電量決定部１２７は、出力制御期間において蓄電装置１５に充電可能な電力量である充電可能量（余剰電力量）を求める（Ｓ６）。例えば、予測消費電力量＜出力制御電力量（出力制御後のパワーコンディショナ１３の出力可能電力量）の場合、充電量決定部１２７は、予測発電量から出力制御電力量を差し引いた値を充電可能量として求める（充電可能量＝予測発電量−出力制御電力量）。また、予測消費電力量＞出力制御電力量の場合、充電量決定部１２７は、予測発電量から予測消費電力量を差し引いた値を充電可能量として求める（充電可能量＝予測発電量−予測消費電力量）。
【００８８】
次に、充電量決定部１２７は、下記（１）〜（３）で求められる値のうち、最も大きい値を蓄電装置１５の充電量として決定する（Ｓ７）。
【００８９】
（１）蓄電装置１５の全容量−充電可能量（基準充電量）
（２）夜間時間帯開始時刻において蓄電装置１５に蓄電されている蓄電残量
（３）蓄電装置１５の全容量×蓄電装置１５のキープ残量設定値＋夜間時間帯終了時刻〜１０時までの予測消費電力量（または、夜間時間帯終了時刻〜１０時までの予測消費電力量×余裕率（例えば、１．５倍））
上記の（３）におけるキープ残量設定値は、災害時などに備えて、蓄電装置１５にキープしておく残量を確保するための設定値（％）である。上記の（３）は、発電量が比較的少ない「夜間時間帯終了時刻〜１０時」の時間帯おける予測消費電力量（または、予測消費電力量×余裕率）を含む電力量を夜間時間帯のうちに予め蓄電装置１５に充電をしておくために設定された値である。蓄電装置１５の充電量の決定基準に上記の（３）を含めることにより、夜間時間帯よりも買電単価が高く設定される朝時間帯の買電を抑制することが可能となるため、電力コストを低減することができる。
【００９０】
充電量決定部１２７は、例えば、上記の（１）が最も大きい値を示す場合、蓄電装置１５の全容量から充電可能量を差し引いた値（基準充電量）を蓄電装置１５の充電量として決定する。充電量決定部１２７は、決定した蓄電装置１５の充電量を、電力モニタ通信部１２４を介してＰＣＳ制御部１１９に伝える。
【００９１】
次に、ＰＣＳ制御部１１９は、充電量決定部１２７が決定した充電量に基づいてパワーコンディショナ１３を制御し、夜間時間帯の買電電力を用いて充電量決定部１２７が決定した充電量に達するまで蓄電装置１５を充電し（Ｓ８）、夜間時間帯終了の１時間前（例えば、６時）まで待機する（Ｓ９）。これにより、出力制御期間における発電電力を蓄電装置１５に充電可能な空き容量が確保された蓄電量まで、蓄電装置１５を充電することができる。
【００９２】
次に、出力制御判定部１２５は、夜間時間帯終了の１時間前になった場合、当日に予定されている出力制御が解除されたか否かを判定する（Ｓ１０）。太陽光を利用した発電は天候に依存するため、悪天候などの要因によって、実施が予定されていた出力制御が直前になって解除される場合が想定される。このため、出力制御判定部１２５は、夜間時間帯終了の１時間前になった場合、予定されている出力制御が解除されたか否かの情報を、電力モニタ１１を介してスケジュールサーバ３０から取得し、出力制御が解除されたか否かを判定する。
【００９３】
出力制御が解除された場合（Ｓ１０でＹＥＳ）、出力制御モード移行判定部１２６は、蓄電装置１５の運転モードを出力制御モード設定前の運転モードに戻すように運転モード設定部１１８を制御するとともに、電力系統７０からの買電電力を用いて夜間時間帯終了まで蓄電装置１５を追加充電する（Ｓ１１）。これにより、日中に太陽光発電装置１０から電力系統７０へ逆潮流可能な電力量(売電量)を増加させることができる。一方、予定されている出力制御が解除されていない場合（Ｓ１０でＮＯ）、出力制御モード移行判定部１２６は、夜間時間帯終了をまって、蓄電装置１５の運転モードを出力制御モード設定前の運転モードに戻すように運転モード設定部１１８を制御する（Ｓ１２）。
【００９４】
（太陽光発電システムの効果）
このように、太陽光発電装置１０が備えるＨＥＭＳコントローラ１２は、電力系統７０と連系運転する太陽光発電装置１０の発電電力を蓄える蓄電装置１５の制御装置であって、太陽光発電装置１０の交流出力を制御する出力制御情報を取得し、出力制御の実施により太陽光発電装置１０から電力系統７０への逆潮流が抑制されることに伴って生じる余剰電力量（充電可能量）を予測し、出力制御が実施される出力制御期間において余剰電力量の少なくとも一部が蓄電装置１５に充電可能なように、電力系統７０からの電力を用いた蓄電装置１５の充電量を決定する構成である。
【００９５】
太陽光発電装置１０では、ＨＥＭＳコントローラ１２は、出力制御期間における上記の余剰電力量の少なくとも一部を充電可能な空き容量が確保されるように蓄電装置１５の充電量を決定する。このため、出力制御期間に生じる上記の余剰電力を無駄にすることなく、効率的に蓄電装置１５に充電することが可能となる。
【００９６】
したがって、出力制御期間における太陽光発電装置１０の発電電力を、蓄電装置１５に効率的に充電することが可能なＨＥＭＳコントローラ１２を実現することができる。
【００９７】
なお、本実施形態では、ＨＥＭＳコントローラ１２は、出力制御期間における太陽光発電装置１０の予測発電量および家庭負荷６０の予測消費電力量をＨＥＭＳサーバ２０から取得する構成について説明したが、本発明はこの構成に限定されない。電力モニタ１１またはＨＥＭＳコントローラ１２が、太陽光発電装置１０の予測発電量および家庭負荷６０の予測消費電力量を計算してもよい。ただし、太陽光発電装置１０の予測発電量および家庭負荷６０の予測消費電力量をＨＥＭＳサーバ２０から取得する構成とすることにより、電力モニタ１１およびＨＥＭＳコントローラ１２の処理負担を軽減することが可能となる。
【００９８】
また、本実施形態では、ＨＥＭＳコントローラ１２は、電力モニタ１１を介して出力制御情報（出力制御スケジュール）を取得する構成について説明したが、本発明はこの構成に限定されない。ＨＥＭＳコントローラ１２は、発電所ＩＤを使用してスケジュールサーバ３０から出力制御情報を直接取得してもよく、または、ＨＥＭＳサーバ２０を介して出力制御情報を取得してもよい。
【００９９】
さらに、本実施形態では、ＨＥＭＳコントローラ１２が蓄電装置１５の充電量を計算・決定する構成について説明したが、本発明はこの構成に限定されない。電力モニタ１１またはＨＥＭＳサーバ２０が、蓄電装置１５の充電量を計算・決定してもよい。
【０１００】
〔実施形態３〕
（太陽光発電システムの通知処理）
次に、図７を参照して、太陽光発電システム１における、太陽光発電装置１０のユーザに対する通知処理について説明する。太陽光発電システム１では、太陽光発電装置１０に関する各種の情報を、太陽光発電装置１０のユーザが所持する携帯端末８０（図８参照）に通知する通知処理を行う。本実施形態では、出力制御モードにおけるユーザへの通知処理の一例を説明する。
【０１０１】
図７は、太陽光発電システム１におけるユーザへの通知処理の一例を説明するための制御フローである。図７に示すように、出力制御が開始された場合、ＨＥＭＳコントローラ１２は、出力制御の開始をＨＥＭＳサーバ２０へ通知する（Ｓ２１）。
【０１０２】
ＨＥＭＳサーバ２０のメッセージ生成部２２２は、ＨＥＭＳコントローラ通信部２３を介してＨＥＭＳコントローラ１２から出力制御開始の通知を取得した場合、出力制御が開始されたことを示す出力制御開始時のメッセージを生成し、生成したメッセージを、インターネット４０を介して携帯端末８０へ配信する（Ｓ２２）。
【０１０３】
携帯端末８０は、ＨＥＭＳサーバ２０から出力制御開始時のメッセージを受信した場合、受信したメッセージをディスプレイ８１に表示する（Ｓ２３）。
【０１０４】
図８は、携帯端末８０に表示される、出力制御開始時のメッセージの一例を示す説明図である。携帯端末８０は、出力制御開始時のメッセージとして、出力制御開始時における蓄電装置１５の充電状態などを示す内容をディスプレイ８１表示する。例えば、図８に示すように、携帯端末８０は、出力制御期間における発電電力を蓄電装置１５に充電可能な空き容量が確保されるように、蓄電装置１５の充電量を抑えて充電したことなどのメッセージをディスプレイ８１表示する。
【０１０５】
次に、出力制御が終了した場合、ＨＥＭＳコントローラ１２は、出力制御の終了をＨＥＭＳサーバ２０へ通知する（Ｓ２４）。
【０１０６】
ＨＥＭＳサーバ２０のメッセージ生成部２２２は、ＨＥＭＳコントローラ通信部２３を介してＨＥＭＳコントローラ１２から出力制御終了の通知を取得した場合、出力制御が終了したことを示す出力制御終了後のメッセージを生成し、生成したメッセージを、インターネット４０を介して携帯端末８０へ配信する（Ｓ２５）。
【０１０７】
携帯端末８０は、ＨＥＭＳサーバ２０から出力制御終了後のメッセージを受信した場合、受信したメッセージをディスプレイ８１に表示する（Ｓ２６）。
【０１０８】
図９は、携帯端末８０に表示される、出力制御終了後のメッセージの一例を示す説明図である。携帯端末８０は、出力制御終了後のメッセージとして、出力制御終了時における蓄電装置１５の充電結果などを示す内容をディスプレイ８１表示する。例えば、図９に示すように、携帯端末８０は、出力制御により生じた余剰電力量〇〇〇ｋＷｈが蓄電装置１５に充電されたことなどのメッセージをディスプレイ８１表示する。
【０１０９】
〔実施形態４〕
（ソフトウェアによる実現例）
ＨＥＭＳコントローラ１２の制御ブロック（特にコントローラ１２２）は、集積回路（ＩＣチップ）などに形成された論理回路（ハードウェア）によって実現してもよいし、ＣＰＵ（Central Processing Unit）を用いてソフトウェアによって実現してもよい。
【０１１０】
後者の場合、ＨＥＭＳコントローラ１２は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波など）を介して上記コンピュータに供給されてもよい。なお、本発明は、上記プログラムが電子的な伝送によって具現化された、搬送波に埋め込まれたデータ信号の形態でも実現され得る。
【０１１１】
〔まとめ〕
本発明の態様１に係る蓄電装置の制御装置（ＨＥＭＳコントローラ１２）は、電力系統と連系運転する発電装置の発電電力を蓄える蓄電装置の制御装置であって、前記発電装置の交流出力を制御する出力制御の情報を取得し、前記出力制御の実施により前記発電装置から前記電力系統への逆潮流が抑制されることに伴って生じる余剰電力量（充電可能量）を予測し、前記出力制御が実施される出力制御期間において前記余剰電力量の少なくとも一部が前記蓄電装置に充電可能なように、前記電力系統からの電力を用いた前記蓄電装置の充電量を決定することを特徴としている。
【０１１２】
上記の構成では、制御装置は、出力制御の実施により発電装置から電力系統への逆潮流が抑制されることに伴って生じる余剰電力（充電可能量）の少なくとも一部が蓄電装置に充電可能なように、蓄電装置の充電量を決定する。換言すれば、制御装置は、出力制御期間における上記の余剰電力量の少なくとも一部を充電可能な空き容量が確保されるように電力系統からの電力（例えば、単価が安い深夜電力）を用いた蓄電装置の充電量を決定する。このため、出力制御期間に生じる上記の余剰電力を無駄にすることなく、効率的に蓄電装置に充電することが可能となる。
【０１１３】
したがって、上記の構成によれば、出力制御期間における発電装置の発電電力を、蓄電装置に効率的に充電することが可能な蓄電装置の制御装置を実現することができる。
【０１１４】
本発明の態様２に係る制御装置は、上記態様１において、前記余剰電力量の予測は、前記出力制御期間における、前記発電装置の予測発電量、前記発電装置に接続される電気機器の予測消費電力量、および前記出力制御の情報に示される出力制御値により定められる前記発電装置が出力可能な出力制御電力量に基づいて行われてもよい。
【０１１５】
上記の構成では、制御装置は、予測発電量、予測消費電力量および出力制御の情報に示される出力制御値により定められる出力制御電力量に基づいて、上記の余剰電力量を予測する。これにより、出力制御期間における上記の余剰電力量を好適に予測することが可能となる。
【０１１６】
本発明の態様３に係る制御装置は、上記態様２において、前記予測発電量、前記予測消費電力量、および前記出力制御電力量の少なくとも一つを、外部サーバから取得してもよい。
【０１１７】
上記の構成によれば、制御装置は、予測発電量、予測消費電力量および出力制御電力量の少なくとも一つを外部サーバから取得する。このため、制御装置の処理負担を軽減することが可能となる。
【０１１８】
本発明の態様４に係る制御装置は、上記態様１〜３において、前記電力系統からの電力を用いた前記蓄電装置の充電後から前記出力制御開始前までの時間帯における所定時刻に、前記出力制御が解除されたか否かの情報を取得し、前記出力制御が解除された場合、前記電力系統からの電力を用いて前記蓄電装置の追加充電を行ってもよい。
【０１１９】
悪天候などの要因によって、実施が予定されていた出力制御が直前になって解除される場合が想定される。
【０１２０】
上記の構成では、制御装置は、所定時刻に出力制御が解除されたか否かを判定し、出力制御が解除された場合、電力系統からの電力を用いて蓄電装置の追加充電を行う。このため、出力制御が解除された場合、例えば夜間時間帯に蓄電装置の追加充電を行っておくことにより、日中に発電装置から蓄電装置への充電量を減らす一方で、電力系統へ逆潮流可能な電力量(売電量)を増加させることができる。
【０１２１】
本発明の態様５に係る制御装置は、上記態様１〜４において、前記蓄電装置の全容量から前記余剰電力量を差し引いた値を基準充電量と定義した場合、前記基準充電量と、前記蓄電装置に蓄電されている蓄電残量とを比較し、前記基準充電量が前記蓄電残量よりも大きい場合、前記基準充電量まで前記蓄電装置を充電し、前記蓄電残量が前記基準充電量よりも大きい場合、前記蓄電装置の充電を行わなくてもよい。
【０１２２】
上記の構成では、制御装置は、基準充電量が蓄電残量よりも大きい場合、基準充電量まで前記蓄電装置を充電する。このため、上記の余剰電力量を充電可能な空き容量を蓄電装置に確保しつつ、電力系統からの電力を用いて蓄電装置を適切に充電することが可能となる。
【０１２３】
一方、上記の構成では、制御装置は、蓄電残量が基準充電量よりも大きい場合、蓄電装置の充電を行わない。これにより、充電による蓄電装置の空き容量の減少が抑制されるため、出力制御期間において蓄電装置に充電することができず無駄になる余剰電力量を最小限に抑えることが可能となる。
【０１２４】
本発明の態様６に係る制御装置は、上記態様１〜５において、前記出力制御の情報に基づいて、前記出力制御が実施されるか否かを判定し、前記出力制御が実施される場合、前記蓄電装置に設定された運転モードの種類を特定し、前記蓄電装置に設定された前記運転モードが前記電力系統からの電力を用いた前記蓄電装置の充電を許可するものである場合、前記余剰電力量に基づいて前記蓄電装置の充電量を決定する出力制御モードへ前記蓄電装置を切り替えてもよい。
【０１２５】
上記の構成では、制御装置は、出力制御が実施され、かつ、蓄電装置に設定された運転モードが電力系統からの電力を用いた蓄電装置の充電を許可するものである場合に、蓄電装置を出力制御モードに切り替える。
【０１２６】
したがって、上記の構成によれば、電力系統からの電力を用いた蓄電装置の充電を節約しつつ、出力制御期間における発電装置の発電電力を蓄電装置に効率的に充電することができる。
【０１２７】
本発明の態様７に係る制御方法は、電力系統と連系運転する発電装置の電力を蓄える蓄電装置の制御方法であって、前記発電装置の交流出力を制御する出力制御の情報を取得し、前記出力制御の実施により前記発電装置から前記電力系統への逆潮流が抑制されることに伴って生じる余剰電力量を予測し、前記出力制御が実施される出力制御期間において前記余剰電力量の少なくとも一部が前記蓄電装置に充電可能なように、前記電力系統からの電力を用いた前記蓄電装置の充電量を決定することを特徴としている。
【０１２８】
上記の方法によれば、出力制御期間における発電装置の発電電力を、蓄電装置に効率的に充電することが可能な蓄電装置の制御装置を実現することができる。
【０１２９】
本発明の各態様に係る制御方法は、コンピュータによって実現してもよく、この場合には、上記制御方法をコンピュータにて実現させるプログラム、およびそれを記録したコンピュータ読み取り可能な記録媒体も、本発明の範疇に入る。
【０１３０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１３１】
１  太陽光発電システム
１０  太陽光発電装置（発電装置）
１１  電力モニタ
１２  ＨＥＭＳコントローラ（制御装置）
１３  パワーコンディショナ
２０  ＨＥＭＳサーバ  外部サーバ
６０  家庭負荷（電子機器）
７０  電力系統
１２２  コントローラ（制御装置）
１２５  出力制御判定部（制御装置）
１２６  出力制御モード移行判定部（制御装置）
１２７  充電量決定部（制御装置）
【図１】
0006800592.tif 000002
【図２】
0006800592.tif 000003
【図３】
0006800592.tif 000004
【図４】
0006800592.tif 000005
【図５】
0006800592.tif 000006
【図６】
0006800592.tif 000007
【図７】
0006800592.tif 000008
【図８】
0006800592.tif 000009
【図９】
0006800592.tif 000010